Podtech/llm-jp-corpus-v4-ja_patent huggingface dataset:
(57)【要約】      （修正有）【課題】従来の照明器具でスイッチ「切」後一定時間点灯を継続させる為に、非常灯の場合は、バッテリーが必要、ホテル照明の場合はタイマーが必要であり、小規模な、個別照明には設備費用が高価となり不向きであった。【解決手段】本考案は、スイッチ２の作動後または停電後、電源回路１２の充電されたコンデンサー６より照明器具７に電力を供給させる電源回路１２を照明器具７内蔵させることで、既設の改造をせず、消灯時の時限点灯、停電時の時限点灯を可能とした。また、スイッチ２の作動後、電源回路１２の遅延リレー８により一定時間、電源１より照明器具７に電力を供給させることで時限点灯を可能とした。【選択図】図１
0003127290.tif 000002
【実用新案登録請求の範囲】
【請求項１】
コンデンサー▲６▼を内蔵した照明器具▲７▼の電源回路▲１２▼において、スイッチ▲２▼により励磁される照明リレー▲３▼によりコンデンサー▲６▼から照明器具▲７▼に供給される電力を「入」「切」し照明器具▲７▼の消灯時、停電時に照明器具▲７▼の時限点灯を可能とした照明器具
【請求項２】
コンデンサー▲６▼を内蔵した照明器具▲７▼の電源回路▲１２▼において、電源▲１▼の停電で消磁される低電圧リレー▲１１▼によりコンデンサー▲６▼から照明器具▲７▼に供給される電力を「入」「切」し、常時、照明器具▲７▼は消灯しているが、停電時のみ点灯を可能とした照明器具
【請求項３】
照明器具▲７▼の電源回路▲１２▼に遅延リレー▲８▼を内蔵させ、照明器具▲７▼の消灯時に時限点灯を可能とした照明器具
【考案の詳細な説明】
【技術分野】
【０００１】  本考案は、消灯時、または、停電時に一定時間点灯を継続する照明器具に関する技術である。
【背景技術】
【０００２】  従来の照明器具はスイッチを「切」とすると即、消灯した。例外的に消防法で規定されたビル、ホール、ホテル、工場、地下街等の非常灯でバッテリーを内蔵する照明器具は「切」後一定時間点灯を継続している。
【考案が解決しようとする課題】
【０００３】  従来の照明器具はスイッチ▲２▼と照明器具▲７▼で構成される。スイッチ「切」後一定時間点灯を継続させる為、非常灯の場合は、バッテリーが必要であり、常用の照明器具を消灯する場合はタイマーが必要であった。その為、小規模な、個別照明には設備費用が高価となり不向きであった。また、既設の場合は改造工事が必要であった。
【課題を解決するための手段】
【０００４】  上記の課題を解決する為、本考案では、照明器具▲７▼にコンデンサー▲６▼または遅延リレー▲８▼を含む電源回路▲１２▼を内蔵させた。
図１、図２、の場合、スイッチ▲２▼による消灯時、または停電時、電源回路▲１２▼中の充電されたコンデンサー▲６▼より照明器具▲７▼に電力を供給させることで消灯時、停電時の時限点灯を可能とした。また、図３、の場合スイッチ▲２▼による消灯時、電源回路▲１２▼中の遅延リレー▲８▼により一定時間、電源▲１▼より照明器具▲７▼に電力を供給させることで時限点灯を可能とした。
【考案の実施形態】
【０００５】  次に本考案の実施形態について説明する。
図１は消灯時、停電時、一定時間照明器具▲７▼の点灯を継続させる実施例を示す。電源▲１▼に取り付けられた照明器具▲７▼はスイッチ▲２▼を「入」「切」することにより点灯、消灯される。なお、照明器具▲７▼とは白熱電球、蛍光灯、その他電力により光を発する器具である。図１に於ける一点鎖線内が電源回路▲１２▼であり、図２，図３も共通である。図１において電源回路▲１２▼は、照明リレー▲３▼、リレーＡ▲４▼、リレーＢ▲５▼、コンデンサー▲６▼により構成され、照明器具▲７▼に内蔵し、スイッチ▲２▼は、電源回路▲１２▼の外部にある。
スイッチ▲２▼を「入」とすると電源▲１▼より電力が照明器具▲７▼に供給され照明器具▲７▼は点灯する。この時、照明リレー▲３▼は励磁されリレーＡ▲４▼はＯＮ、リレーＢ▲５▼がＯＦＦとなり、コンデンサー▲６▼に電力が充電される。
スイッチ▲２▼を「切」とすると、電源▲１▼より照明器具▲７▼に供給される電力は停止される。この時、照明リレー▲３▼は消磁されリレーＡ▲４▼はＯＦＦ、リレーＢ▲５▼がＯＮとなり、充電されたコンデンサー▲６▼より一定時間電力が照明器具▲７▼に供給されるので照明器具▲７▼は点灯を継続する。点灯はコンデンサー▲６▼より電力の供給が停止するまで実施され、コンデンサー▲６▼よりの電力供給が停止すると自然に消灯する。スイッチ「切」後の点灯時間はコンデンサー▲６▼の充電容量により決定される。以上により消灯時の時限点灯が可能となる。スイッチ▲２▼が「入」の状態で電源▲１▼が停電するとスイッチ▲２▼を「切」と同じ事となり、停電時の時限点灯を可能とする。
図２はスイッチ▲２▼が「入」の状態で消灯しているが、電源▲１▼が停電になった時のみ、照明器具▲７▼を一定時間点灯させる実施例を示す。スイッチ▲２▼を「入」とすると、低電圧リレー▲１１▼が励磁しリレーＡ▲４▼がＯＮ、リレーＢ▲５▼がＯＦＦ、リレーＣ▲１０▼がＯＦＦとなり、照明器具▲７▼は点灯しない。しかし、スイッチ▲２▼が「入」の状態で、電源▲１▼が停電になると、低電圧リレー▲１１▼が消磁しリレーＡ▲４▼がＯＦＦ、リレーＢ▲５▼がＯＮ、リレーＣ▲１０▼がＯＮとなり、充電されたコンデンサー▲６▼より一定時間電力が照明器具▲７▼に供給されるので照明器具▲７▼は点灯する。電源▲１▼が回復すると、低電圧リレー▲１１▼は励磁されリレーＡ▲４▼はＯＮ、リレーＢ▲５▼がＯＦＦ、リレーＣ▲１０▼はＯＦＦとなり、照明器具▲７▼は消灯し、コンデンサー▲６▼に電力が充電される。
図−３は消灯時のみ、一定時間照明器具▲７▼の点灯を継続させる実施例を示す。スイッチ▲２▼により励磁される遅延リレー▲８▼を電源回路▲１２▼に設置する。スイッチ▲２▼を「切」とすると、自動スイッチ▲９▼は、一定時間経過後、遅延リレー▲８▼によりＯＦＦとなり電源▲１▼より照明器具▲７▼に供給される電力は停止される。スイッチ▲２▼を「入」とすると自動スイッチ▲９▼は遅延リレー▲８▼により即「入」となる。
【考案の効果】
【０００６】  本考案により、照明器具の改造や照明回路の改造無しで照明器具▲７▼の時限点灯が可能となる。従って、消灯時、照明器具▲７▼は一定時間点灯を継続するので照明器具▲７▼の設置された部屋よりの退出する時、照明された状態で退室ができる。その他、地震、火災等の緊急に電力が停止した場合でも照明器具▲７▼は時限点灯を継続しているので退室の安全が確保出来る。停電時のみ時限点灯させることも可能であり、避難灯となる。
【図面の簡単な説明】
【図１】  消灯時、停電時、一定時間照明器具▲７▼の点灯を継続させる技術の説明図
【図２】  停電時のみ、一定時間照明器具▲７▼の点灯を継続させる技術の説明図
【図３】  消灯時のみ、一定時間照明器具▲７▼の点灯を継続させる技術の説明図
【符号の説明】
▲１▼は電源、▲２▼はスイッチ、▲３▼は照明リレー、▲４▼はリレーＡ、▲５▼はリレーＢ  ▲６▼はコンデンサー、▲７▼は照明器具、▲８▼は遅延リレー、▲９▼は自動スイッチ、▲１０▼はリレーＣ、▲１１▼は低電圧リレー、▲１２▼は電源回路
【図１】
0003127290.tif 000003
【図２】
0003127290.tif 000004
【図３】
0003127290.tif 000005
(57)【要約】【課題】好みの割り方を常に正確に再現することのできるカップ入り焼酎、より一般的にはアルコール飲料、を提供する。【解決手段】透明又は半透明のカップ状容器内に、その満容量の70%以下のアルコール飲料を入れ、該容器の側壁に、該アルコール飲料の希釈率を示す目盛りを付す。目盛りは、複数の希釈率についてそれぞれ設けるようにしてもよい。カップに入れるアルコール飲料としては、焼酎が最も典型的である。容器の側壁に目盛りが付されているため、常に正確に所定の比率で希釈する（割る）ことができる。なお、目盛り位置の希釈率は所定の値であるが、その目盛りよりも少し上とか少し下に水等の割り液を入れることにより、そのような所定の値以外の希釈率にもすることができる。【選択図】図１
0003127239.tif 000002
【実用新案登録請求の範囲】
【請求項１】
透明又は半透明のカップ状容器内に、その内容積の70%以下のアルコール飲料を入れ、該容器の側壁に、該アルコール飲料の希釈率を示す目盛りを付したことを特徴とする目盛り付カップ入りアルコール飲料。
【請求項２】
前記目盛りが、複数の希釈率についてそれぞれ設けられている請求項１に記載の目盛り付カップ入りアルコール飲料。
【請求項３】
前記アルコール飲料が焼酎である請求項１又は２に記載の目盛り付カップ入りアルコール飲料。
【考案の詳細な説明】
【技術分野】
【０００１】
本考案は、カップ状の容器に入れて販売される焼酎等のアルコール飲料、及びその容器に関する。
【背景技術】
【０００２】
ウイスキーや焼酎等の度数の高いアルコール飲料は、ストレートで飲む他、水等で割って飲むことも多い。特に焼酎は、水や湯の他、ソーダやレモン水等で割る飲み方もできるため、近年、若者たちの間で人気が高い。
【０００３】
そのように、水等で割ることを予定した、専用の容器入り焼酎が特許文献１に開示されている。特許文献１に記載の容器入り焼酎では、通常の容器入り焼酎のように容器内に焼酎が一杯に充填されておらず、上部に空間を残して充填されている。これは、開封後に使用者が水等で割ることを予定して、水を注ぎ足すための空間を予め設けておいたものである。
【特許文献１】実用新案登録第3110791号公報
【考案の開示】
【考案が解決しようとする課題】
【０００４】
焼酎等の飲み方は人により様々であり、ストレートに近い濃さを好む人もいれば、できるだけ度数を低くして飲みたい人もいる。しかし、いずれにせよ、自分は７：３であるとか６：４であるとか、割り方を決めていることが多い。そのような場合、上記従来の容器入り焼酎では、そのように決めた自分の割り方を常に正しく再現することが難しい。
【０００５】
本考案が解決しようとする課題は、好みの割り方を常に正確に再現することのできるカップ入り焼酎、より一般的にはアルコール飲料、を提供することである。
【課題を解決するための手段】
【０００６】
上記課題を解決するために成された本考案に係るカップ入りアルコール飲料は、透明又は半透明のカップ状容器内に、その内容積の70%以下のアルコール飲料を入れ、該容器の側壁に、該アルコール飲料の希釈率を示す目盛りを付したことを特徴とする目盛り付カップ入りアルコール飲料である。
【０００７】
ここで、前記目盛りは、複数の希釈率についてそれぞれ設けるようにしてもよい。
【０００８】
また、カップに入れるアルコール飲料としては、焼酎が最も典型的である。
【考案の効果】
【０００９】
本考案に係るカップ入りアルコール飲料は、容器の側壁に目盛りが付されているため、常に正確に所定の比率で希釈する（割る）ことができる。なお、目盛り位置の希釈率は所定の値であるが、その目盛りよりも少し上とか少し下に水等の割り液を入れることにより、そのような所定の値以外の希釈率にもすることができる。
【００１０】
また、複数の希釈率について目盛りを設けることにより、より多くの人の好みに応じた希釈率に対応することができるようになる。この場合、割り液を目盛り丁度のところではなく、隣接する目盛りとの間まで入れる等、よりフレキシブルな希釈率で割り飲料を作ることができるようになる。
【実施例】
【００１１】
本考案の一実施例である目盛付カップ入り焼酎の側面図を図１に示す。また、そのカップ容器の側面図及び平面図を図２(a)及び(b)に示す。
【００１２】
本実施例で用いるカップ容器１１はガラス製であり、その外径及び高さは約65mm及び88mm、満容量は193mlである。
【００１３】
カップ容器１１の側面には２本の浮き目盛り線１２、１３が設けられており、それらの横には上から順に「６：４」と「７：３」の浮き文字が付されている。「６：４」線までの容量は150mlであり、「７：３」線までの容量は128mlであるように各目盛り線１２、１３の位置が定められている。そして、出荷時には、このカップ容器１１内には、図２の破線１４で示す高さまで焼酎１５（図１）が充填される。その場合の焼酎１５の充填量は90mlである。充填後、カップ容器１１の口はプルタブ付キャップ１６（図１）でシールされる。
【００１４】
こうして、出荷された本実施例のカップ入り焼酎１０を購入したユーザーは、キャップ１６を開封し、カップ容器１１の側壁に付された目盛り１２、１３を目印に、好みの位置まで水、湯等の割り液を入れる。これにより、常に一定の濃度で水割り焼酎やお湯割り焼酎を楽しむことができる。
【図面の簡単な説明】
【００１５】
【図１】本考案の一実施例である目盛付カップ入り焼酎の側面図。
【図２】実施例で用いられるカップ容器の側面図(a)及び平面図(b)。
【符号の説明】
【００１６】
１０…カップ入り焼酎
１１…カップ容器
１２…「６：４」目盛り線
１３…「７：３」目盛り線
１４…出荷時充填水面
１５…焼酎
１６…キャップ
【図１】
0003127239.tif 000003
【図２】
0003127239.tif 000004
(57)【要約】      （修正有）【課題】本考案は、クリアホルダーとして使用する際に棚などに入った状態ではクリアホルダーの中に入っている内容物が判断できないが、複数のタグを付けそれらを切り取って使用することによりクリアホルダーの中に入っている内容物を容易に分別することを課題とする。【解決手段】本考案は、クリアホルダーに抜き加工の際に入れたミシン目によって付けた複数のタグを設けることと、複数のタグを分別用に切り離すことによりクリアホルダーに特徴が生まれ、タグが分別用の目印という機能を果たし、クリアファイルの中にある内容物の判別を容易にすることができる。また、印刷を施すことにより宣伝広告効果をより高められるクリアホルダーとする。【選択図】図１
0003127264.tif 000002
【実用新案登録請求の範囲】
【請求項１】
クリアホルダーの一部に切取れる任意のタグを複数付け、クリアホルダーを簡易的に分別して使用できることを可能にする。
【請求項２】
前記の仕様で、表裏一体のシートにおいてタグとして使用できる部位の切り離す分離線が、ミシン目によって形成されたものであることを特徴とする請求項１記載のタグ付きクリアホルダー。
【考案の詳細な説明】
【技術分野】
【０００１】  本考案は主として、フイルムシート材料に対して多目的に使用できる利便性の高いノベルティー商品に関する。
【背景技術】
【０００２】  従来のクリアホルダーは、クリアホルダーとしてだけの使用方法しかなく、まとめて棚などに保管しておくと外部から中の書類を知ることができなかった。【０００３】  従来棚などに保管してあるクリアホルダーの中に入っている内容物を確認するには、保管場所から一旦出して見なければわからなかった。
【考案が解決しようとする課題】
【０００４】    本考案は、クリアホルダーとして使用できるだけでなく、クリアホルダーの一部に任意のタグを付け、使用する際には必要なタグを残し不用なタグはミシン目によって容易に切取ることでタグが目印になり、クリアホルダー内にある内容物の分別がわかりやすいクリアホルダーとして使用できる。また、印刷を施すことにより宣伝広告効果を得ることができる。
更にタグ付きクリアホルダーの材料シートの素材を再生樹脂材料もしくはトウモロコシ等から製造されるＰＬＡ《ポリ乳酸》を主原料としたプラスチック材料を使用して環境に優しい商品として作成することもできる。
【課題を解決するための手段】
【０００５】  本考案は、クリアホルダーに任意のタグを複数付けることで分別のできるタグ付きクリアホルダーとして使用ができ、タグをミシン目にすることにより容易に使用しないタグ部切取り使用することができる。
また、材料シートに宣伝広告印刷を施すことにより、より高い宣伝広告効果を出すことができる。
【考案実施の形態】
【０００６】  図１は本考案のタグ付きクリアホルダー（Ｆ）の視図である。図１でタグ付きクリアホルダー（Ｆ）の左辺（ａ）は山折になっており、底辺（ｂ）は圧着されている。そのため左辺（ａ）と底辺（ｂ）は閉じた状態になっている。上辺（ｄ）と右辺（ｃ１）、（ｃ２）は開口しているため、ここから書類等を出し入れすることができる。右辺（ｃ２）に付いている部位がタグ（ｅ１）、（ｅ２）、（ｅ３）、（ｅ４）、（ｅ５）、（ｅ６）であり、右辺（ｃ２）とはミシン目で付いている。
タグ付きクリアホルダー（Ｆ）の右辺（ｃ２）についているタグは抜き加工の工程で付けたミシン目があるため容易に切り離すことができる。分別の印として必要なタグを残し、不必要なタグを切り離すことにより数種類の分別されたタグ付きクリアホルダーとして使用することができる。タグは突起しているため、棚などに保管をする際タグ部は飛び出ている状態で見ることができる。そのため棚からタグ付きクリアホルダーの中に入っている内容物を確認するためにその都度棚から取り出さなくても棚に入ったままの状態でタグを目印として内容物を判断することができ、確認する作業が容易にできる。タグは複数付いているため、それぞれのタグに予め印刷で同じ色、もしくは別々の色を付けておくことにより、更に棚に入っていた際の分別が容易になり
また、タグ付きクリアホルダー表面（１）の裏面から宣伝広告用の印刷（図示せず）を施すことで、宣伝効果の高いノベルティー商品や販売促進商品等としても使用することができる。
更に、光透過性を有する樹脂材料シートの素材を使用することで印刷デザイン面積を少なくして中に入れている書類を見せることもできる。
このタグ付きクリアホルダー（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【考案の効果】
【０００７】  本考案は、通常にクリアホルダーとして利用する際複数のタグを使い分けることによって、棚などに入っている状態でもクリアホルダーの中に入っている内容物がタグにより判断することが可能で、かさばったクリアホルダーを容易に分別する効果がある。
且つ、シートに印刷されることによって宣伝広告用クリアホルダーとして使用することが可能である。
更に、シート材料を再生樹脂材料もしくはトウモロコシ等から製造されるＰＬＡ《ポリ乳酸》を主原料としたプラスチック材料を使用することにより、より環境に優しい商品を作成することができる。
【図面の簡単な説明】
【図１】    本考案の印刷物であるタグ付きクリアホルダー視図。
【図２】    図１のタグ付きクリアホルダーの展開図
【図３】    図１のタグ付きクリアホルダーの切り離されたタグの視図。
【符号の説明】
Ｆ  タグ付きクリアホルダー
１  タグ付きクリアホルダーの表面
２  ミシン目
ａ    左辺
ｂ    下辺
ｃ１  右辺
ｃ２  右辺
ｄ    上辺
ｅ１  タグ
ｅ２  タグ
ｅ３  タグ
ｅ４  タグ
ｅ５  タグ
ｅ６  タグ
【図１】
0003127264.tif 000003
【図２】
0003127264.tif 000004
【図３】
0003127264.tif 000005
【手続補正書】
【提出日】平成18年7月28日(2006.7.28)
【手続補正１】
【補正対象書類名】実用新案登録請求の範囲
【補正対象項目名】全文
【補正方法】変更
【補正の内容】
【実用新案登録請求の範囲】
【請求項１】
クリアホルダーの一部に切取れる任意のタグを複数付け、クリアホルダーを簡易的に分別して使用できることを可能にする形状を有するタグ付きクリアホルダー。
【請求項２】
前記の仕様で、表裏一体のシートにおいてタグとして使用できる部位の切り離す分離線が、ミシン目によって形成されたものであることを特徴とする請求項１記載のタグ付きクリアホルダー。
(57)【要約】      （修正有）【課題】専業主婦には家計簿の機能と財布を一体化したものを、サラリーマンには手帳の機能と財布を一体化したものというように、その人のライフスタイルに合わせた機能を併せ持つ財布を提供する。【解決手段】二つ折り財布１０の内側の折れ目部分Ｂに、バインダー１と、輪っか状の筆記具収納部２を備えて、金銭、カード、家計簿、手帳を一元化することで、その人の生活に合わせた機能を、財布に付与することが可能になる。【選択図】図１
0003127270.tif 000002
【実用新案登録請求の範囲】
【請求項１】
二つ折りの財布の内側の折れ目に、シート類を閉じるための開閉自在のバインダーと、輪っか状の筆記具収納部を設けた財布。
【考案の詳細な説明】
【技術分野】
【０００１】  本考案は、一般的に使用される財布に関する。
【背景技術】
【０００２】  財布は、金銭、カードの所持に利用され、予定やメモは手帳で管理し、家計の収支は家計簿で管理されている。たとえば、スーパーなどで買い物をする際は、買い物リストをメモ帳に記し、帰宅後にレシートをもとに家計簿に書き込んでいた。
【考案の開示】
【考案が解決しようとする課題】
【０００３】  家計の収支やスケジュールは、一般的に家計簿や手帳で管理される。当然のように、財布とは別に家計簿、手帳を所持しなければならなく、不便である。そのため、本考案は、専業主婦には家計簿の機能と財布を一体化したものを、サラリーマンには手帳の機能と財布を一体化したものというように、その人のライフスタイルに合わせた機能を併せ持つ財布を提供することを目的とする。
【課題を解決するための手段】
【０００４】  そこで、二つ折り財布の内側の折れ目に、シート類を閉じるために開閉自在のリング状のバインダー、輪っか状の筆記具収納部を備えることで、金銭、カード、家計簿、手帳を一元化する。
【考案の効果】
【０００５】  財布は一般的に常時、所持しているものであるため、家計の収支があれば金銭の収納と同時に記入ができ、また、スケジュールの変更、アイデアのひらめきなどを書き留めたいとき、手帳やメモが手元にない場合でも対応できる。また、家計簿やスケジュールなどのリフィルは差し替えができ、使用者の意図によって、その選択肢は拡がる。
【考案を実施するための最良の形態】
【０００６】  図１のように、二つ折り財布の内側の折れ目にバイングー１、輪っか状筆記具収納部２を備える。この形態を採用することで、図２の断面図が示すように、バインダー１、リフィル３、筆記具４を無理なく財布に収納できる。
【図面の簡単な説明】
【０００７】
【図１】  本考案の財布の斜視図
【図２】  本考案の財布を折りたたんだ状態の図１、Ａ−Ａ線に沿う部分に相当する断面図
【符号の説明】
【０００８】  １    バインダー
２    輪っか状筆記具収納部
３    リフィル
４    筆記具
１０  二つ折り財布
Ａ    図２を示すための補助線
Ｂ    折れ目部分
【図１】
0003127270.tif 000003
【図２】
0003127270.tif 000004
(57)【要約】      （修正有）【課題】発光塗料を使用することで、ボトルが本来持つ価値に、装飾品やインテリアとしてなどの付加価値をより高く持たせる。【解決手段】シャンパンやワイン、日本酒や焼酎などのお酒各種のボトル（１）や各種ボトルに、彫刻や成型などで文字や柄、絵やロゴマークなどの凹凸を持たせ、凹部（２）に、ブラックライトの紫外線照射に反応して発光する塗料を使用し、ボトル（１）が本来持っている価値のほかに、装飾品、インテリアとしての付加価値もより高くすることが可能になった。【選択図】図１
0003127267.tif 000002
【実用新案登録請求の範囲】
【請求項１】
ボトル（１）に彫刻や成型などで、文字や柄などの凹凸を持たせ、凹部（２）にブラックライトの照射に反応して発光する塗料を使用したボトル
【考案の詳細な説明】
［考案の詳細な説明］
この考案は、シャンパンやワイン、日本酒や焼酎などのお酒各種のボトル（１）や各種ボトルに、彫刻や成型などで文字や柄、絵やロゴマークなどの凹凸を持たせ、凹部（２）に、ブラックライトの紫外線照射に反応して発光する塗料を使用するものである。
従来の彫刻などをしたボトル（１）の凹部（２）への塗装は、発光しない塗料、もしくは蓄光などで発光する塗料を使用したものであった。
その為、凹部に発光しない塗料を使用したボトルは暗いところでは、折角の彫刻などが認識しづらく、凹部に蓄光などで発光する塗料を使用したボトルでは、発光が弱いので、明るいところでは発光しているように見えない。
本案は、明るい場所でも発光が綺麗に見えるブラックライトの紫外線照射に反応して発光する塗料を使用することで、それらの欠点を克服するものである。
ボトル（１）の凹部（２）にブラックライトの照射に反応して発光する塗料を使用することで、照明にブラックライトを使用している場所では、その場所の明るさに関係なく、ブラックライトの照射があれば発光を認識することができ、ボトル（１）が本来持っている価値のほかに、装飾品、インテリアとしての付加価値もより高くすることが可能になった。
【図面の簡単な説明】
【図１】  本考案の正面図
【符号の説明】
１はボトル、２はブラックライトの紫外線照射に反応して発光する塗料を使用する凹部
【図１】
0003127267.tif 000003
【手続補正書】
【提出日】平成18年8月24日(2006.8.24)
【手続補正１】
【補正対象書類名】図面
【補正対象項目名】全図
【補正方法】変更
【補正の内容】
【図１】
0003127267.tif 000004
(57)【要約】      （修正有）【課題】豆腐をおやつ感覚で気軽にどこででも食べられることができる豆腐入り容器を提供する。【解決手段】３０ｇ〜４０ｇのひと口サイズの豆腐と、このひと口サイズの豆腐を収容するためのひと口サイズのカップと、このカップに接合されたシールとを備え、前記カップと前記シールとの間で、豆腐が真空状態で収容されていることを特徴とする豆腐入り容器１〜３。真空パックすることで、日持ちさせ、携帯に便利になり、どこでもひと口で食せることができる。【選択図】図１
0003127263.tif 000002
【実用新案登録請求の範囲】
【請求項１】
低カロリー、高タンパク質のとうふを、ひと口サイズのカップに充填、真空パックすることで携帯しやすく、おやつとしてお菓子感覚でどこでも簡単に食せるようにした、ひと口サイズを特長とするカップ充填とうふ。
【考案の詳細な説明】
【技術分野】
【０００１】  本考案は、とうふを小さいカップに充填したひと口サイズのとうふに関するものである。
【背景技術】
【０００２】  現在ある充填真空パックとうふは大きいため、切って皿に出し、醤油などで味付けして食べるもので、食事の副菜という立場でしかなかった。
【考案の開示】
【考案が解決しようとする課題】
【０００３】  低カロリー、高たんぱく質で健康にも良いとうふを、副菜でなくお菓子感覚でもっと手軽に食せるようにした。とうふをひと口サイズのカップに充填することで携帯しやすく、食べやすくし、前述の欠点を解決しようとするものである。
【課題を解決するための手段】
【０００４】  日持ちさせ携帯に便利なように、とうふを充填、真空パックする。ひと口サイズのカップを用いることで、どこでも手軽に食せることで問題を解決している。
【考案の効果】
【０００５】  真空パックにしているため日持ちがし、どこにでも携帯できる。ひと口サイズのカップに入れるためスプーンも不要で、お茶請け、行楽のおやつ、お弁当の副菜、海外旅行のおやつ、ダイエッターのおやつ等、お菓子感覚でどこでも簡単に食べることができる。
【考案を実施するための最良の形態】
【０００６】  プレーンな味つけの他、醤油、梅しそ、白ごま、黒ごま、枝豆ほか。また、ヨーグルト風味、チーズ風味、フルーツ風味ほか、甘くしたデザートタイプのものも。そうしたとうふを、容量３０ｇ〜４０ｇのサイズのカップに充填、真空パックし、ひと口で食せるようにする。
【実施例】
【０００７】  以下、添付図面に従って実施例を説明する。カップ素材はプラスティック。▲４▼上部は真空パックの密閉蓋。▲５▼底部は球状、▲６▼底部は角に丸みを持たせて出しやすくする。【０００８】  ▲１▼▲２▼▲３▼の型は丸、四角、ハート型等。容量は３０〜４０ｇ。底部は、中身がきれいに取り出せるよう丸みを持たせる。
【図面の簡単な説明】
【０００９】
【図１】ひと口サイズの小さいカップ。容量３０〜４０ｇ。
【符号の説明】
【００１０】  ▲１▼容器本体丸型
▲２▼容器本体四角
▲３▼容器本体ハート型
▲４▼上部密閉した時の蓋
▲５▼球状の底部
▲６▼角に丸みのある底部
【図１】
0003127263.tif 000003
【手続補正書】
【提出日】平成18年8月24日(2006.8.24)
【手続補正１】
【補正対象書類名】実用新案登録請求の範囲
【補正対象項目名】全文
【補正方法】変更
【補正の内容】
【実用新案登録請求の範囲】
【請求項１】
ひと口サイズの豆腐と、前記ひと口サイズの豆腐を収容するためのひと口サイズのカップと、前記カップに接合されたシールとを備え、前記カップと前記シールとの間で、前記豆腐が真空状態で収容されていることを特徴とする豆腐入り容器。
(57)【要約】      （修正有）【課題】害虫を駆除することを苦手とする人でも簡単に、衛生的に、使用出来るようにした簡易害虫駆除機を提供する。【解決手段】紙製パイプの中に空気が通る網を儲け、先端部分に８本の変形可能な針金を埋め込んだ構成とする。掃除機の先端に害虫駆除機を取り付け、掃除機の吸引力で害虫を吸い込むことで簡単に、衛生的に駆除出来るようにした。吸い込んだ後ふたをするか又は、針金部分をねじる。【選択図】図１
0003127269.tif 000002
【実用新案登録請求の範囲】
【請求項１】
丸いパイプの中に空気だけ通る網状の仕切りを取り付けまた、丸いパイプの先に容易に変形する針金状の金属を取り付けた害虫駆除機
【考案の詳細な説明】
【考案の詳細な説明】
【０００１】  丸いパイプの中に空気だけ通る網状の仕切りをもうけ、その丸パイプを掃除機の先に取り付け、掃除機の吸引力を利用し、害虫を吸い上げ、仕切りである網で捕まえてそのまま駆除するというものである。従来害虫の代表であるゴキブリなどを駆除するには、薬品を使うか、何かでたたくか、そのいずれにせよ死がいをかたずけるという作業が発生しました。その作業には抵抗のある人が多く、不衛生でした。本案は簡単に、衛生的に、害虫を駆除するために考案したもので、掃除機の吸引力を利用し吸い上げた害虫を、丸パイプの中の仕切り（網）で捕まえ、先端にふたをしそのまま駆除する。また先端に付けてある変形可能な針金を使い先をひねることでふたとすることも出来る。そのときの丸パイプの材質は、紙になる。
【図面の簡単な説明】
【０００２】
【図１】  本案のレントゲン図
【図２】  本案の先端方向からのレントゲン図
【図３】  本案の使用方法の一例図
【図４】  本案における変形可能な針金状の金属を、ひねることでふたとしたイメージ図
【図１】
0003127269.tif 000003
【図２】
0003127269.tif 000004
【図３】
0003127269.tif 000005
【図４】
0003127269.tif 000006
(57)【要約】【課題】床面やグランドの表面に生ずる水溜りを吸い取り、歩行者の転倒を防止し、あるいは水はけを促進しグランド整備の遅れを来たさないための用具を提供する。【解決手段】把手１２ａまたは操作棒１２ｂを取り付けた圧盤１３に連続気泡の樹脂発泡体１１を貼り付けた吸水パット１０ａ，１０ｂと、上記吸水パット１０ａ，１０ｂの床面に接する面積より広い面積を有する簀の子１５を開口部に付設した水受け容器２０とからなるもので、上記樹脂発泡体１１は、ポリウレタンまたはエチレン酢酸ビニル共重合体であり、その床面に接する面以外の面に非発泡層１１ａを形成したものとし、必要ならば上記水受け容器（２０）の開口部（１４）を、簀の子（１５）を付設した部分と付設してない部分に二分し、その境から簀の子（１５）のない側寄りの水受け容器（２０）内に仕切り（１６）を形成してなる。【選択図】図１
0003127271.tif 000002
【実用新案登録請求の範囲】
【請求項１】
把手（１２ａ）または操作棒（１２ｂ）を取り付けた圧盤（１３）に連続気泡の樹脂発泡体（１１）を貼り付けた吸水パット（１０ａ，１０ｂ）と、上記吸水パット（１０ａ，１０ｂ）の床面に接する面積より広い面積を有する簀の子（１５）を開口部（１４）に付設した水受け容器（２０）とからなる水溜り吸引処理具。
【請求項２】
上記樹脂発泡体（１１）は、ポリウレタンまたはエチレン酢酸ビニル共重合体であり、その床面に接する面以外の面に非発泡層（１１ａ）を形成してなる請求項１に記載の水溜り吸引処理具。
【請求項３】
上記水受け容器（２０）の開口部（１４）を、簀の子（１５）を付設した部分と付設してない部分に二分し、その境から簀の子（１５）のない側寄りの水受け容器（２０）内に仕切り（１６）を形成してなる請求項１または２に記載の水溜り吸引処理具。
【考案の詳細な説明】
【技術分野】
【０００１】  この考案は、床面やグランドの表面に生じた水溜りの水を吸引・除去処理する道具に関する。
【背景技術】
【０００２】  床面やグランドの表面に水溜りが生じているのをよく見かける。床面に水溜りが生ずると、その潤滑効果によって歩行者が足を滑らし手転倒することがある。また、グランドに水溜りが生ずると、その部分の水はけが悪くなり、あるいは蒸発が遅れてグランドの整備が遅れる問題がある。
【考案の開示】
【考案が解決しようとする課題】
【０００３】  上記状況に鑑みこの考案は、床面やグランドの表面に生ずる水溜りを吸い取り、歩行者の転倒を防止し、あるいは水はけを促進しグランド整備の遅れを来たさないための用具を提供することを課題とする。
【課題を解決するための手段】
【０００４】  上記課題を解決するためにこの考案は、把手１２ａまたは操作棒１２ｂを取り付けた圧盤１３に連続気泡の樹脂発泡体１１を貼り付けた吸水パット１０ａ，１０ｂと、上記吸水パット１０ａ，１０ｂの床面に接する面積より広い面積を有する簀の子１５を開口部に付設した水受け容器２０とからなるもので、上記樹脂発泡体１１は、ポリウレタンまたはエチレン酢酸ビニル共重合体であり、その床面に接する面以外の面に非発泡層１１ａを形成したものとし、必要ならば上記水受け容器（２０）の開口部（１４）を、簀の子（１５）を付設した部分と付設してない部分に二分し、その境から簀の子（１５）のない側寄りの水受け容器（２０）内に仕切り（１６）を形成してなる構成としたものである。
【考案の効果】
【０００５】  上記の如く構成するこの考案によれば、床面やグランドの表面にできた水溜りに、非発泡層を設けた樹脂発泡体を、圧盤を介して床面あるいはグランド面に押し当て、その力を除くことにより、水溜りの水は吸い取られ、水を吸い取った樹脂発泡体を簀の子に押し当てることにより、吸い取られた水は容器に排出され、これを繰り返すことにより水溜りを早期に解消することができる。【０００６】  とくに樹脂発泡体が、床あるいはグランドの表面に接する面以外の面に非発泡層を形成することにより水の吸引力が強くなり、溜まり水を搾り出すときは余計なところに搾り出されず、また、水受け容器の内側に仕切りを設けることにより、簀の子の下には汚濁水を貯めるようにし、他の部分には清水を入れて吸水パットを濯ぎ床面の拭き掃除をすることができる。
【考案を実施するための最良の形態】
【０００７】  次にこの考案の実施の形態を、図面を参照しながら説明する。
【実施例１】
【０００８】  図１はこの考案の実施例１に係り、同図（ａ）において把手１２ａを取り付けた圧盤１３の下面に、下面を除く５面に非発泡層１１ａを形成した樹脂発泡体１１を貼り付けて吸水パット１０ａとしている。【０００９】  図１（ｂ）において水受け容器２０の開口部１４には簀の子１３が付設され、同図（ｃ）に示すように、水溜りの水を吸い取った吸水パット１０ａは圧盤１３を介して押さえて吸い取った水を搾り出す。【００１０】  ここで、吸水パット１０ａが水溜りの水を吸い取るとき、また搾り出すときは樹脂発泡体１１の表面に非発泡層１１ａを形成しているので吸い取り、搾り出しが効果的に行われ、搾り出すときは水受け容器２０に向けてのみ搾り出される。
【実施例２】
【００１１】  図２はこの考案の実施例２に係り、把手に変えて操作棒１２ｂが圧盤１３に取り付けられたもので、その他は実施例１と同じである。
【実施例３】
【００１２】  図３は実施例３に係り、水受け容器２０の内部に仕切り１６を設けて吸い取った水を受ける領域２０ａと、吸水パットを濯ぐ清水を入れる領域２０ｂに区分したもので、床面の水溜りにおいて、溜まり水を吸い取った後、吸水パットを清水で濯ぎ床面を拭き取ることができる。
【産業上の利用可能性】
【００１３】  以上説明したようにこの考案によれば床面、グランド面の水溜りを速やかに吸い取り、とくに床面では水溜りの吸い取りと共に床面の拭き掃除も同時に行うことができる。また、樹脂発泡体の表面に非発泡層を形成することにより水溜りの吸水力が高まり、かつ、搾り出された水は水受け容器に集中する。
【図面の簡単な説明】
【００１４】
【図１】（ａ）把手付き吸水パットの正面図（ｂ）水受け容器の断面図（ｃ）水受け容器の簀の子に吸水パットを押し付けた状態図
【図２】操作棒つき吸水パットの斜視図
【図３】仕切りを設けた水受け容器の断面図
【符号の説明】
１０ａ，１０ｂ  吸水パット
１１  樹脂発泡体
１１ａ  非発泡層
１２ａ  把手
１２ｂ  操作棒
１３  圧盤
１４  開口部
１５  簀の子
１６  仕切り
２０  水受け容器
２０ａ  吸い取った水を受ける領域
２０ｂ  清水を入れる領域
【図１】
0003127271.tif 000003
【図２】
0003127271.tif 000004
【図３】
0003127271.tif 000005
(57)【要約】      （修正有）【課題】杖や傘を立てかけるのに、それらの太さや、適応する場所やその形状に制限される不都合を解消する。【解決手段】杖や傘に貼る、粘着性のテープ（１）の表面に、もう１枚の粘着性のテープ（２）を裏返して装着し、その粘着力によって、杖が立てかけられる。又、固定部にゴムバンド（５）や、面ファスナー（６）とゴムバンドを使ったものは、杖や傘に差し込んで使用する。【選択図】図４
0003127276.tif 000002
【実用新案登録請求の範囲】
【請求項１】
固定部に、裏が粘着性になっているテープ（１）を用い、その表面に、もう１枚の粘着性のテープ（２）を裏返して装着し、更に（２）を覆うための非粘着性の、カバー（３）を重ねて装着した、杖や傘などの立てかけ保持具。
【請求項２】
固定部にゴムバンド（５）を用い、その表面に、粘着性のテープ（２）を裏返して装着し、更に（２）を覆うための非粘着性のカバー（３）を重ねて装着した、請求項１の杖や傘などの立てかけ保持具。
【請求項３】
固定部にゴムバンド（５）と、面ファスナー（６）を用い、その表面に、粘着性のテープ（２）を裏返して装着し、更に（２）を覆うための非粘着性のカバー（３）を重ねて装着した、請求項１の杖や傘などの立てかけ保持具。
【考案の詳細な説明】
【技術の分野】
【００１】  本考案は、杖や傘を立てかけた時、それらが転ばないように、粘着性のテープで、接着するものである。
【技術背景】
【００２】  従来、杖を立てかけるための保持具として、やわらかい素材で作られたものや、磁石を使った製品はあった。又、椅子やテーブルに杖を立てかける部分が造設されている物もある。傘に関しては、保持具は存在しないと思われる。
【考案が解決しようとする課題】
【００３】  しかし、従来の保持具は、杖の太さや、適応する場所や形状に制限があった。傘に関しては、所用時に、立てかけておく場所に困る事がある。
【課題を解決するための手段】
【００４】  本考案は、裏が粘着性になっているテープの表に、もう１枚の、粘着性のテープを裏返して装着し、それを杖に貼り、その粘着力によって、杖や傘が立てかけられるものである。また、粘着性のテープの代わりにゴムバンドにて固定、あるいは面ファスナーとゴムバンドによって固定するものである。
【考案の効果】
【００５】  本考案は、粘着性のテープやゴムバンドを用いるので、杖や傘の太さ、そして、それらを立てかける場所やその形状を制限せずに、立てかけることができる。
【考案を実施するための最良の形態】
【００６】  裏が粘着性のテープ（１）の表に、もう１枚の粘着性のテープ（２）を裏返して装着し、更に（２）を覆う非粘着性のカバー（３）を、その表面に装着する。杖や傘を立てかける時はカバーを外し、使用しない時は（２）の粘着面をカバーで覆っておく。ゴムバンド（５）は輪にしておき、杖や傘に差し込んで使用する。面ファスナー（６）とゴムバンドのものも、杖や傘に差し込んで使用する。
【図面の簡単な説明】
【００７】
【図１】  本考案の、粘着テープを使った、斜面図である。
【図２】  本考案の、図１の断面図である。
【図３】  本考案の、ゴムバンドを使った、斜面図である。
【図４】  本考案の、面ファスナーとゴムバンドを使った、斜面図である。
【符号の説明】
【００８】  １    杖や傘に貼る部分
２    什器に接着する部分
３    カバー
４    ハトメ
５    ゴムバンド
６    面ファスナー
【図１】
0003127276.tif 000003
【図２】
0003127276.tif 000004
【図３】
0003127276.tif 000005
【図４】
0003127276.tif 000006
(57)【要約】      （修正有）【課題】追加で漬ける対象物を継ぎ足しても、最も漬物が漬け上がった部分の漬物を容易に取り出せる漬物容器を提供する。【解決手段】漬物容器として、漬物を収納するための円筒状の容器本体と、前容器本体の内側において収納される漬物を上方から押さえる押さえ板と、前記容器本体の底面に設けられる開口部と、前記開口部に螺号し密閉して塞ぐ、着脱可能な蓋体とを設ける。このような構成により、容器本体の開口部に蓋体を装着して漬ける対象物を入れて、押さえ板で押さえて漬物を漬け、漬物を取り出す際には蓋体をはずして最も漬かっている底近傍の漬物を取り出す。また、追加で漬ける対象物を入れる場合には、押さえ板をはずしてそこに新たに漬ける対象物を入れ、再び押さえ板で押さえるようにする。【選択図】図１
0003127296.tif 000002
【実用新案登録請求の範囲】
【請求項１】
漬物を収納するための円筒状の容器本体と、
前容器本体の内側において収納される漬物を上方から押さえる押さえ板と、
前記容器本体の底面に設けられる前記底面と同じ大きさを有する開口部と
前記開口部に螺合し、密閉して塞ぐ着脱可能な蓋体と
を有する漬物容器。
【考案の詳細な説明】
【技術分野】
【０００１】
本考案は漬物を漬けるための容器に関する。
【背景技術】
【０００２】
野菜の塩漬けなど、容器内に漬ける対象物を入れて重石を用いて圧縮する漬物は、容器の底部分から順次漬け上がっていく。従って、よく漬かった漬物から取り出すためには容器内の漬物を混ぜ返して底の物を取り出す必要があり、手間がかかるとともに漬物の酸化を早めるという問題がある。これに対処するものとして、下記特許文献１には、上方が開口した容器にまず重石を入れておき、これに漬ける対象物を入れて、その上に密閉するための蓋をし、その後、逆さまにして漬物を漬ける方法が開示されている。この方法によると、最も漬かった漬物は、蓋に近接した部分になるので、取り出す際には容器を元に戻すことで、簡易に最も漬かった漬物を取り出すことができる。
【特許文献１】特公昭５４−２４４５６号公報
【特許文献２】実開昭６０−７４５８８号公報
【特許文献３】実用新案登録第３０４７２８９号公報
【考案の開示】
【考案が解決しようとする課題】
【０００３】
しかし、上記特許文献１に示すように、容器を逆さまにする方法では、漬物が漬かったところに新たに追加で漬ける対象物を入れていくと、新たに入れたものが底になるために、結局、混ぜ返して取り出すことになってしまう。従って、常に最も漬かった漬物を蓋の近傍に位置づけるためには必ず使い切る必要があった。
本考案は、このような問題に鑑みて、追加で漬ける対象物を継ぎ足しても、最も漬物が漬け上がった部分の漬物を容易に取り出せる漬物容器を提供することを課題とする。
【課題を解決するための手段】
【０００４】
上記課題を解決するために、本考案は次のような構成を有する。
請求項１に記載の考案は、漬物を収納するための円筒状の容器本体と、前容器本体の内側において収納される漬物を上方から押さえる押さえ板と、前記容器本体の底面に設けられる前記底面と同じ大きさを有する開口部と少なくとも前記容器本体の長さよりも短い、前記開口部に螺合し、これを密閉して塞ぐ着脱可能な蓋体とを有する漬物容器である。このような構成により、容器本体の開口部に蓋体を装着して漬ける対象物を入れて、押さえ板で押さえて漬物を漬け、漬物を取り出す際には蓋体をはずして最も漬かっている底近傍の漬物を取り出す。また、追加で漬ける対象物を入れる場合には、押さえ板をはずしてそこに新たに漬ける対象物を入れ、再び押さえ板で押さえるようにする。
【考案の効果】
【０００５】
底に設けた開口部から漬物を取り出すので、最も漬かった漬物を取り出すことができるとともに、新たに漬ける対象物は最上部から積層されていくので、これらが最も漬かった漬物を取り出す際に邪魔になることがなく、順次、漬物を追加していくことができる。また、底の無い容器を製造すれば足りるので構造が簡単で製造コストを抑えることができ、また、底面に位置する漬物を満遍なく取り出すことができる。
【考案を実施するための最良の形態】
【０００６】
以下、本考案の実施形態について、図面を参照しながら説明する。
図１に実施形態１に係る漬物容器Zの斜視図を示す。図に示すように漬物容器Zは、底の無い円筒体からなる容器本体１０と、容器本体１０の内側において漬物を上方から押さえるための容器本体１０の内径よりやや小さな内径を有する円盤体からなる押さえ板２０とから構成される。容器本体１０は合成樹脂性であり、底面側の外周面に雌ネジが形成され、これに蓋体１２が係合している。漬物容器Ｚにおける容器本体１０は蓋体１２の開閉が容易になるように外径がやや小さく形成されている。
【０００７】
次に、以上のような構成を有する漬物容器Ｘの使用方法について説明する。まず、使用者は漬物として漬ける野菜などの対象物を漬け方に応じて加工し、押さえ板２０を取り外した状態で、蓋１２を閉じた容器本体１０の底面から順次積み重ねていく。その後、押さえ板２０をその上に乗せ、さらに、重石Ｗを押さえ板の上に乗せる。図２（ａ）に漬物容器Ｚの漬物を漬けた状態を示す縦断面図を示す。この状態で数日から数十日置いておくことで底面側から漬物が漬け上がっていく。そして、漬物を取り出す際には、図２（ｂ）に示すように、重石Ｗを取り出して、容器本体１０を水平にし、この状態で蓋体１２を取りはずして底部に位置する漬物を取り出す。この際、漬物の汁がこぼれてもよいように流し台の中などで作業をすることが望ましい。また、漬物がある程度、減ってきた場合には、新たに漬物を追加することができる。このためには、まず、重石Ｗおよび押さえ板２０を取り出し、その上に新たに加工した漬ける対象物を入れて、再び押さえ板２０、重石Ｗで上から押さえるようにすれば足りる。このように、新たに追加する対象物は上方から追加されるので、開口部１１側には常に最も漬かった漬物が位置し、常にこれを取り出すことができる。
【０００８】
なお、上記実施形態では、重石により押さえ板２０を押圧するようにしているが、容器本体１０の上面にさらに蓋を固定し、この蓋の中央にボルト穴を設けてボルトを通し、このボルトを押さえ板２０に向う方向へ締め付けることで押さえ板２０を押圧するようにもできる。
【図面の簡単な説明】
【０００９】
【図１】実施形態に係る漬物容器示す斜視図である。
【図２】（ａ）は実施形態に係る漬物容器の漬物を漬けた状態を示す縦断面図であり、（ｂ）は実施形態に係る漬物容器の漬物を取り出す状態を示す縦断面図である。
【符号の説明】
【００１０】
Ｚ          漬物容器
１０        容器本体
１１        開口部
１２        蓋体
２０        押さえ板
【図１】
0003127296.tif 000003
【図２】
0003127296.tif 000004
(57)【要約】      （修正有）【課題】ノートパソコンの発する熱が直接膝に伝わらないようにする遮熱プレートを提供する。【解決手段】ノートパソコンの底面に、熱を放出する通気部を設けた遮熱プレート１を脱着可能に取り付ける方法。【選択図】図１
0003127292.tif 000002
【実用新案登録請求の範囲】
【請求項１】
ノートパソコンの底面に合わせた形状で、穴や溝又はリブ形状などにより通気部を形成する板材からなり、板材の少なくとも１面にはノートパソコンの底面に貼り付け固定するための係着材を配置したことを特徴とするノートパソコン用遮熱プレート。
【請求項２】
請求項１に於いて板材を副層構造とし、リブなどを介して接合したことで通気部を形成した事を特徴とするノートパソコン用遮熱プレート。
【請求項３】
請求項１に於いて板材を副層構造とし、ノートパソコンの底面に接する面の材質を熱伝導度の高い材質とし、対面に熱伝導度の低い材質を配置したことを特徴とするノートパソコン用遮熱プレート。
【考案の詳細な説明】
【技術分野】
【０００１】  本考案は、ノートパソコン用遮熱プレートに関する物である。
【背景技術】
【０００２】  従来の技術思想では、ノートパソコンを膝の上で使用する際に断熱性のマットなどを敷いて、ノートパソコンの発する熱を遮蔽して使用していた。
【考案の開示】
【考案が解決しようとする課題】
【０００３】  本考案はノートパソコンを膝の上で使用する際に、ノートパソコンの発する熱が直接膝に伝わらないようにする遮熱プレートを提供する事を目的とする。
【課題を解決するための手段】
【０００４】  本考案ではノートパソコンの底面に、熱を放出する通気部を設けた遮熱プレートを脱着可能に貼り付ける方法により課題を解決する。
【考案の効果】
【０００５】  上記のように本考案のノートパソコン用遮熱プレートは、プレートの通気部により使用者の膝に熱が直接伝わることを防ぎ、又該通気部を通してノートパソコンの熱を放熱する効果も併せ持つ。従来の断熱性のマットなどではノートパソコンの内部に熱がこもり、内蔵された機器の寿命を短くする危険が有った。
【考案を実施するための最良の形態】
【０００６】  ノートパソコンの底面に合わせた形状で、通気部をもつ遮熱プレートを該底面に脱着可能に配置する。遮熱プレートの少なくとも１面にはノートパソコンの底面に貼り付け固定するための係着材を配置する。複数の板材で遮熱プレートを構成する場合、該底面に接する１面を熱伝導の優れた物にすることで、ノートパソコンの放熱性を向上することが出来る。
【実施例】
【０００７】  以下、添付図面に基づいて実施例を説明する。
図１は本考案のノートパソコン用遮熱プレートの俯瞰図である。複層からなるノートパソコン用遮熱プレート１は、膝に接する面のプレート１ｂとノートパソコンの底面に接する面のプレート１ｃと２枚のプレートを繋ぐリブ１ａから構成される。２枚のプレートの間には遮熱、放熱の為の通気部２が設けられる。ノートパソコン底部への装着は粘着材又はマジックテープ等の接合部材３で行う。【０００８】  図２は遮熱プレート１を単層とし、膝に接する面のプレート１ｂとノートパソコンの底面の間に、通気の為の空間を確保するためのリブ１ａを設けた構造とする。通気部２によりノートパソコンの発生する熱は外部に放出される。膝に伝わる熱は通気部２の空間により、プレート１ｂに直接伝わらない。【０００９】  図３は遮熱プレートを複層で構成し、強度を保つために中間層に押し出し形成された通気層を持つ樹脂製の補強材を挟み込んだ実施例である。【００１０】  図４はノートパソコン５に本考案のノートパソコン用遮熱プレート１を装着した状態の側面図である。【００１１】  図５は複層からなるノートパソコン用遮熱プレート１のノートパソコン底面に接する面のプレート１ｃに熱伝導度の高い材質を配置し、膝に接する面のプレート１ｂに熱伝導度の低い材質を配置した実施例である。
【図面の簡単な説明】
【００１２】
【図１】ノートパソコン用遮熱プレートの俯瞰図である。
【図２】単層からなるノートパソコン用遮熱プレートの俯瞰図である。
【図３】中間層に押し出しにより形成された樹脂製の補強材を挟み込んだノートパソコン用遮熱プレートの俯瞰図である。
【図４】装着状態の側面図である。
【図５】２種類の材質からなるノートパソコン用遮熱プレートの俯瞰図である。
【符号の説明】
【００１３】  １ノートパソコン用遮熱プレート
２通気部
３接合材
５ノートパソコン
【図１】
0003127292.tif 000003
【図２】
0003127292.tif 000004
【図３】
0003127292.tif 000005
【図４】
0003127292.tif 000006
【図５】
0003127292.tif 000007